(57)【要約】【課題】回線品質を安定化することができるＶＤＳＬ通信機器を提供することを目的とする。【解決手段】電話線２９を介して通信を行う宅内装置１７とインターネット１０とをＶＤＳＬにより接続するＶＤＳＬ通信機器１であって、初期のネゴシエーションの際に電話線の伝送距離に応じた電話回線ロスのレベルを検知するノイズ検知部７と、検知した電話回線ロスのレベルに応じて宅内装置に対する送信レベルを自動的に調整する送信レベル調整部６とを有する。【選択図】  図１
2004179726.tif 000002
【特許請求の範囲】
【請求項１】
電話線を介して通信を行う宅内装置とインターネットとをＶＤＳＬにより接続するＶＤＳＬ通信機器であって、
初期のネゴシエーションの際に前記電話線の伝送距離に応じた電話回線ロスのレベルを検知するノイズ検知部と、検知した前記電話回線ロスのレベルに応じて前記宅内装置に対する送信レベルを自動的に調整する送信レベル調整部とを有することを特徴とするＶＤＳＬ通信機器。
【請求項２】
前記ノイズ検知部は、前記電話回線ロスのレベルと共にクロストークノイズレベルやハムノイズレベルなどのノイズレベルを検知し、前記送信レベル調整部は、検知した前記電話回線ロスのレベルおよび前記検知したノイズレベルに応じて前記宅内装置に対する送信レベルを自動的に調整することを特徴とする請求項１に記載のＶＤＳＬ通信機器。
【請求項３】
前記宅内装置に対する送信レベルの自動調整と手動調整の切替えが可能な自動／マニュアル切替えスイッチ部を備えたことを特徴とする請求項２に記載のＶＤＳＬ通信機器。
【請求項４】
前記電話回線ロスのレベルを擬似的に設定することが可能な擬似回線ロス設定部を備え、前記送信レベル調整部は、擬似的に設定された前記電話回線ロスのレベルに応じて前記宅内装置に対する送信レベルを自動的に調整することを特徴とする請求項２に記載のＶＤＳＬ通信機器。
【発明の詳細な説明】
【０００１】
【発明の属する技術分野】
本発明はＶＤＳＬ（Ｖｅｒｙ  ｈｉｇｈ  ｂｉｔ  ｒａｔｅ  ＤｉｇｉｔａｌＳｕｂｓｃｒｉｂｅｒ  Ｌｉｎｅ）によりインターネットやＰＳＴＮ回線と宅内装置等とを接続するＶＤＳＬ通信機器に関するものである。
【０００２】
【従来の技術】
ＶＤＳＬ技術や、従来のＶＤＳＬ通信機器等の情報通信機器について、ＶＤＳＬモデム装置を例に説明する。
【０００３】
ＶＤＳＬによる伝送方式は、基本的にＡＤＳＬ（Ａｓｙｍｍｅｔｒｉｃ  Ｄｉｇｉｔａｌ  Ｓｕｂｓｃｒｉｂｅｒ  Ｌｉｎｅ）と同様の非対称の伝送方式であるが、ＶＤＳＬの意味するＶｅｒｙ  ｈｉｇｈ  ｂｉｔ  ｒａｔｅ  ＤＳＬつまり“超高速デジタル加入者回線”という名前のとおり、ＡＤＳＬよりも高速な通信速度を実現する事ができる。それは、フルレートのＡＤＳＬをさらに高速化して、１０Ｍｂｐｓ〜５０Ｍｂｐｓ程度の高速データ通信を可能にする通信方式である。その技術は、現在のアナログ電話回線では、０〜４ｋＨｚくらいまでを音声帯域として利用し、ＡＤＳＬではそれよりも高い部分の周波数帯域の０〜１．１ＭＨｚまでの周波数を使って伝送するのに対し、ＶＤＳＬはさらにその上の０〜４ＭＨｚをはるかに越えるレンジまでを活用する事により高速なデジタル通信を可能にしている。しかし、周波数レンジを上げた事によって大幅に伝送距離が制限され、その伝送距離は１〜２ｋｍ程度で、ＡＤＳＬに比べると三分の一程度の短い距離になってしまう。
【０００４】
ここで、集合住宅におけるＶＤＳＬの利用方法を例にとって説明する。ＶＤＳＬの利用の形態としては、たとえばＦＴＴＣ（Ｆｉｂｅｒ  Ｔｏ  Ｔｈｅ  Ｃｕｒｂ）を用いるものがあり、この場合、電話局から集合住宅などの近くまでは光ケーブルを使用し、そこから集合住宅内の各ユーザーの家までは既設の電話線を利用したＶＤＳＬを用いることにより高速通信を実現することができる。このように、光ケーブルと組み合わせる事でＶＤＳＬを活用する事が出来るのである。但し、距離の影響を受け易いため、回線ロス（減衰）やクロストークノイズ、周波数が高いことにより影響するハムノイズ等によって最大転送レートが下がったりして、回線品質が一定せず、不安定になったりする。伝送速度の距離との相関は、１０００ｆｔ（３００ｍ）では下り５２Ｍｂｐｓ、上り６Ｍｂｐｓ程度が最高速度で、３０００ｆｔ（９００ｍ）では下り２６Ｍｂｐｓ、４５００ｆｔ（１．３５ｋｍ）では下り１３Ｍｂｐｓ程度と予測されている。変調方式としては、ＡＤＳＬと同様にＤＭＴ（Ｄｉｓｃｒｅｔｅ  Ｍｕｌｔｉ  Ｔｏｎｅ）方式、ＱＡＭ（Ｑｕａｄｒａｔｕｒｅ  Ａｍｐｌｉｔｕｄｅ  Ｍｏｄｕｌａｔｉｏｎ）方式、ＣＡＰ（Ｃａｒｒｉｅｒｌｅｓｓ  Ａｍｐｌｉｔｕｄｅ  Ｐｈａｓｅ）方式の各方式がアプローチされている。
【０００５】
図４は、従来のＶＤＳＬ通信機器を有するＶＤＳＬ通信システム示すブロック図である。
【０００６】
図４において、１はＶＤＳＬ通信機器、２はＰＳＴＮ回線１１と接続され、データを変復調するＶＤＳＬモデム部、３は後述のインターネット１０からのデータやＶＤＳＬモデム部２で変復調されるデータをスイッチングするネットワークスイッチ部、４はインターネット１０と接続されるネットワーク接続部である。ＶＤＳＬモデム部２はスプリッタ２１とフィルタ２２とモデムブロック２３とで構成され、ネットワークスイッチ部３は制御用ＣＰＵ２６とメモリブロック２７とＮポートスイッチブロック２８（Ｎはポート数）で構成され、ネットワーク接続部４はネットワークトランス２４とＥｔｈｅｒブロック（イーサブロック）２５とで構成される。５は機器設定用ＰＣ９によりＶＤＳＬ通信機器１を設定するリモート設定部、７はＶＤＳＬ通信機器１と宅内装置１７との回線ロス（減衰）のレベルや、クロストークノイズやハムノイズ等のノイズレベルを検知するノイズ検知部、８はＶＤＳＬ通信機器１に電源を供給する電源ブロック、１０はＶＤＳＬ通信機器１に接続されるインターネット（Ｉｎｔｅｒｎｅｔ）、１１はＶＤＳＬ通信機器１に接続されるＰＳＴＮ回線、１２は宅内装置１７の宅内モデム、１３は宅内装置１７の電話、１４は宅内装置１７のＰＣ、２９はＶＤＳＬ通信機器１と宅内装置１７とを接続する電話線である。宅内装置１７は、宅内モデム１２と、宅内モデム１２に接続される電話１３と、ＰＣ１４とにより構成される。
【０００７】
このように構成されたＶＤＳＬ通信機器を有するＶＤＳＬ通信システムについて、その動作を説明する。
【０００８】
ＰＳＴＮ回線１１やインターネット１０と接続されたセンタ側のＶＤＳＬ通信機器１と各宅内装置１７の宅内モデム１２との間での接続を行う場合、ＰＳＴＮ回線１１の音声とデータは、ＶＤＳＬモデム部２内のスプリッタ２１で音声とデータに分けられ、データはモデムブロック２３で変復調される。また、インターネット１０は、ＶＤＳＬ通信機器１内のネットワーク接続部４に接続され、前述のデータとともにネットワークスイッチ部３でスイッチングされ、音声とともに各宅内装置１７の宅内モデム１２へ伝送される。この時、センタ側のＶＤＳＬ通信機器１は、ＶＤＳＬ通信機器１と宅内モデム１２との間の距離（つまり電話線２９の長さ）に応じた回線の状態（Ｓ／Ｎ比）を認識して送信パワーを決定し、伝送速度を調整する。通信スピードに関しては、Ｒａｔｅ  Ａｄａｐｔｉｖｅ（レート・アダプティブ）に設定される。このＲａｔｅ  Ａｄａｐｔｉｖｅは回線の状態（Ｓ／Ｎ比）に応じて伝送速度を調整するもので、ＡＤＳＬやアナログモデム等々同様の機能である（例えば、特許文献１参照。）。
【０００９】
【特許文献１】
特開平３−６１６５号公報
【００１０】
【発明が解決しようとする課題】
このように、従来のＶＤＳＬ通信機器では、自動的に距離に応じた回線の状態（Ｓ／Ｎ比）を認識して送信パワーを決定し、伝送速度を調整するが、これでは、予想以上の回線ロスやクロストークノイズ、ＶＤＳＬの使用帯域で影響のあるハムノイズ（無線ノイズ）等の影響で、リンクできるまでにかなりの時間を要したり、最悪の場合は宅内装置とのリンクが出来なくなるなど、通信スピードが非常に遅い等により不安定な回線品質となり、大容量のデータ伝送が出来ないという問題点を有していた。
【００１１】
このＶＤＳＬ通信機器では、回線品質を安定化することが要求されている。
【００１２】
本発明は、この要求を満たすため、回線品質を安定化することができるＶＤＳＬ通信機器を提供することを目的とする。
【００１３】
【課題を解決するための手段】
上記課題を解決するために本発明のＶＤＳＬ通信機器は、電話線を介して通信を行う宅内装置とインターネットとをＶＤＳＬにより接続するＶＤＳＬ通信機器であって、初期のネゴシエーションの際に電話線の伝送距離に応じた電話回線ロスのレベルを検知するノイズ検知部と、検知した電話回線ロスのレベルに応じて宅内装置に対する送信レベルを自動的に調整する送信レベル調整部とを有する構成を備えている。
【００１４】
これにより、回線品質を安定化することができるＶＤＳＬ通信機器が得られる。
【００１５】
【発明の実施の形態】
本発明の請求項１に記載のＶＤＳＬ通信機器は、電話線を介して通信を行う宅内装置とインターネットとをＶＤＳＬにより接続するＶＤＳＬ通信機器であって、初期のネゴシエーションの際に電話線の伝送距離に応じた電話回線ロスのレベルを検知するノイズ検知部と、検知した電話回線ロスのレベルに応じて宅内装置に対する送信レベルを自動的に調整する送信レベル調整部とを有することとしたものである。
【００１６】
この構成により、電話回線ロスのレベルに応じて宅内装置に対する送信レベルを自動的に調整するようにしたので、各宅内装置とリンクするまでにかなりの時間を要したり、最悪の場合は宅内装置とのリンクが出来なくなるなどの事態を回避することができ、不安定な回線品質を解消することができ、安定した回線品質を提供することができるという作用を有する。
【００１７】
請求項２に記載のＶＤＳＬ通信機器は、請求項１に記載のＶＤＳＬ通信機器において、ノイズ検知部は、電話回線ロスのレベルと共にクロストークノイズレベルやハムノイズレベルなどのノイズレベルを検知し、送信レベル調整部は、検知した電話回線ロスのレベルおよび検知したノイズレベルに応じて宅内装置に対する送信レベルを自動的に調整することとしたものである。
【００１８】
この構成により、電話回線ロスのレベルと共にクロストークノイズレベルやハムノイズレベルなどを含む総合的なノイズレベルを検知して送信レベルを自動的に調整するようにしたので、各宅内装置とリンクするまでにかなりの時間を要したり、最悪の場合は宅内装置とのリンクが出来なくなるなどの事態を更に確実に回避することができ、不安定な回線品質を解消して、いっそう安定した回線品質を提供することができるという作用を有する。
【００１９】
請求項３に記載のＶＤＳＬ通信機器は、請求項２に記載のＶＤＳＬ通信機器において、宅内装置に対する送信レベルの自動調整と手動調整の切替えが可能な自動／マニュアル切替えスイッチ部を備えることとしたものである。
【００２０】
この構成により、自動調整の状態ではなかなかリンク出来ない場合にマニュアルに設定し、送信レベルを任意に調整できるようにすることができるので、確実に不安定な回線品質を解消して、安定した回線品質を提供することができるという作用を有する。
【００２１】
請求項４に記載のＶＤＳＬ通信機器は、請求項２に記載のＶＤＳＬ通信機器において、電話回線ロスのレベルを擬似的に設定することが可能な擬似回線ロス設定部を備え、送信レベル調整部は、擬似的に設定された電話回線ロスのレベルに応じて宅内装置に対する送信レベルを自動的に調整することとしたものである。
【００２２】
この構成により、自動調整の状態ではなかなかリンク出来ない場合には、電話回線ロスのレベルを擬似的に設定して送信レベルをアップさせて通信品質（回線品質）を確実に安定させることができるという作用を有する。
【００２３】
以下、本発明の実施の形態について、図１〜図３を参照しながら説明する。
【００２４】
（実施の形態１）
図１は、本発明の実施の形態１によるＶＤＳＬ通信機器を有するＶＤＳＬ通信システムを示すブロック図である。
【００２５】
図１において、ＶＤＳＬ通信機器１、ＶＤＳＬモデム部２、ネットワークスイッチ部３、ネットワーク接続部４、リモート設定部５、ノイズ検知部７、電源ブロック８、機器設定用ＰＣ９、ＰＣ１４、インターネット１０、ＰＳＴＮ回線１１、宅内モデム１２、電話１３、スプリッタ２１、フィルタ２２、モデムブロック２３、ネットワークトランス２４、Ｅｔｈｅｒブロック２５、制御用ＣＰＵ２６、メモリブロック２７、Ｎポートスイッチブロック２８、電話線２９は図４と同様のものなので、同一符号を付し、説明は省略する。６はノイズ検知部７で検知された回線ロスノイズやノイズレベルによりＶＤＳＬ通信機器１と宅内装置１７との通信の為の送信レベルを調整する送信レベル調整部である。
【００２６】
このように構成されたＶＤＳＬ通信機器１を有するＶＤＳＬ通信システムについて、その動作を説明する。
【００２７】
ＰＳＴＮ回線１１やインターネット１０をセンタ側のＶＤＳＬ通信機器１を介して宅内側の宅内モデム１２とリンクさせ宅内の電話１３やＰＣ１４と接続する場合、ＰＳＴＮ回線１１からのデータはＶＤＳＬモデム部２で変調され、ネットワークスイッチ部３に送られる。また、インターネット１０のデータはネットワーク接続部４を介して同様にネットワークスイッチ部３に送られる。ネットワークスイッチ部３では、どの宅内モデム１２へ接続するかの制御が行われ、要求の有った宅内モデム１２へデータがセンタ側と宅内側の間に接続された電話線２９を通じて伝送され、また音声はスプリッタ２１から直接に電話線２９を通じて伝送され、これにより、宅内モデム１２に接続された電話１３やＰＣ１４と通話やデータ交換が可能になる。この伝送の送信レベルは、予めノイズ検知部７で検知しておいた回線ロスレベルや、クロストークノイズやハムノイズ等のノイズレベルにより、送信レベル調整部６で自動的に設定したものである。その他、このＶＤＳＬ通信機器１の設定は、機器設定用ＰＣ９によりリモート設定部５を介して設定される。なお、送信レベルの調整はリモート設定部５でも可能である。
【００２８】
このように、センタ側と宅内側間の回線ロスやクロストークノイズ、ハムノイズ等を総合的に検知し、それに応じて送信レベルを自動的に調整する事で、リンクまでに時間を要したり、最悪の場合はリンク出来ないといった不安定な回線品質を解消し、安定した回線品質を提供することができ、ユーザが安心して大容量データ等を伝送する事ができる。
【００２９】
（実施の形態２）
図２は、本発明の実施の形態２によるＶＤＳＬ通信機器を有するＶＤＳＬ通信システムを示すブロック図である。
【００３０】
図２において、ＶＤＳＬ通信機器１、ＶＤＳＬモデム部２、ネットワークスイッチ部３、ネットワーク接続部４、リモート設定部５、送信レベル調整部６、ノイズ検知部７、電源ブロック８、機器設定用ＰＣ９、ＰＣ１４、インターネット１０、ＰＳＴＮ回線１１、宅内モデム１２、電話１３、スプリッタ２１、フィルタ２２、モデムブロック２３、ネットワークトランス２４、Ｅｔｈｅｒブロック２５、制御用ＣＰＵ２６、メモリブロック２７、Ｎポートスイッチブロック２８、電話線２９は図４と同様のものなので、同一符号を付し、説明は省略する。１５はセンタ側と宅内側との通信の為の送信レベルを自動またはマニュアルに設定する自動／マニュアル切替えスイッチ部である。
【００３１】
このように構成されたＶＤＳＬ通信機器１を有するＶＤＳＬ通信システムについて、その動作を説明する。
【００３２】
実施の形態１の場合と同様に、ＰＳＴＮ回線１１やインターネット１０をセンタ側のＶＤＳＬ通信機器１を介して宅内側の宅内モデム１２とリンクさせ宅内の電話１３やＰＣ１４と接続する場合、ＰＳＴＮ回線１１からのデータはＶＤＳＬモデム部２で変調されネットワークスイッチ部３に送られる。また、インターネット１０のデータはネットワーク接続部４を介して同様にネットワークスイッチ部３に送られる。ネットワークスイッチ部３ではどの宅内モデム１２へ接続するかの制御が行われ、要求の有った宅内モデム１２へデータがセンタ側と宅内側の間に接続された電話線２９を通じて伝送され、また音声はスプリッタ２１から直接に電話線２９を通じて伝送され、これにより、宅内モデム１２に接続された電話１３やＰＣ１４と通話やデータ交換が可能になる。この伝送の送信レベルは、予めノイズ検知部７で検知しておいた回線ロスレベルや、クロストークノイズやハムノイズ等のノイズレベルにより、送信レベル調整部６で自動的に設定したものである。その他、このＶＤＳＬ通信機器１の設定は、機器設定用ＰＣ９によりリモート設定部５を介して設定される。しかし、センタ側と宅内側とが自動でなかなかリンク出来ず時間を要したり、最悪リンク出来ないといった場合は、自動／マニュアル切替えスイッチ部１５で送信レベル調整をマニュアル設定に変更することにより、送信レベルを任意に変更することが出来る。
【００３３】
このように、送信レベルを自動設定にしておいてもなかなかリンクできなかったり、最悪はリンク出来ないという場合には、自動／マニュアル切替えスイッチ部１５をマニュアル設定に変更し、送信レベルを任意に変更する事で、不安定な回線品質を解消し、安定した回線品質を提供することができ、ユーザが安心して大容量データ等を伝送する事ができる。
【００３４】
（実施の形態３）
図３は、本発明の実施の形態３によるＶＤＳＬ通信機器を有するＶＤＳＬ通信システムを示すブロック図である。
【００３５】
図３において、ＶＤＳＬ通信機器１、ＶＤＳＬモデム部２、ネットワークスイッチ部３、ネットワーク接続部４、リモート設定部５、ノイズ検知部７、電源ブロック８、機器設定用ＰＣ９、ＰＣ１４、インターネット１０、ＰＳＴＮ回線１１、宅内モデム１２、電話１３、スプリッタ２１、フィルタ２２、モデムブロック２３、ネットワークトランス２４、Ｅｔｈｅｒブロック２５、制御用ＣＰＵ２６、メモリブロック２７、Ｎポートスイッチブロック２８、電話線２９は図４と同様のものなので、同一符号を付し、説明は省略する。１６はセンタ側と宅内側との回線ロス（すなわちＶＤＳＬ通信機器１と宅内装置１７との電話回線ロス）を擬似的に設定する擬似回線ロス設定部である。
【００３６】
このように構成されたＶＤＳＬ通信機器１を有するＶＤＳＬ通信システムについて、その動作を説明する。
【００３７】
実施の形態１と同様に、ＰＳＴＮ回線１１やインターネット１０をセンタ側のＶＤＳＬ通信機器１を介して宅内側の宅内モデム１２とリンクさせ宅内の電話１３やＰＣ１４と接続する場合、ＰＳＴＮ回線１１からのデータはＶＤＳＬモデム部２で変調され、ネットワークスイッチ部３に送られる。また、インターネット１０のデータは、ネットワーク接続部４を介して同様にネットワークスイッチ部３に送られる。ネットワークスイッチ部３では、どの宅内モデム１２へ接続するかの制御が行われ、要求の有った宅内モデム１２へデータがセンタ側と宅内側の間に接続された電話線を通じて伝送され、また音声はスプリッタ２１から直接に電話線２９を通じて伝送され、これにより、宅内モデム１２に接続された電話１３やＰＣ１４と通話やデータ交換が可能になる。この伝送の送信レベルは伝送距離に応じて設定されたものである。その他、このＶＤＳＬ通信機器１の設定は、機器設定用ＰＣ９によりリモート設定部５を介して設定される。しかし、送信レベルがこのリモート設定部５で可変出来ない場合は、センタ側と宅内側がリンク出来ない状況になる場合がある。その場合、擬似回線ロス設定部１６で回線ロスを変更し、送信レベルを調整することができる。
【００３８】
このように、送信レベルをリモートで任意に変更出来ないＶＤＳＬ通信機器の場合には、回線ロスをＶＤＳＬ通信機器１に任意に与えられるようにし、送信レベルを変更する事で、不安定な回線品質を解消し、安定した回線品質を提供することができ、ユーザが安心して大容量データ等を伝送する事ができる。
【００３９】
【発明の効果】
以上説明したように本発明のＶＤＳＬ通信機器によれば、電話線を介して通信を行う宅内装置とインターネットとをＶＤＳＬにより接続するＶＤＳＬ通信機器であって、初期のネゴシエーションの際に電話線の伝送距離に応じた電話回線ロスのレベルを検知するノイズ検知部と、検知した電話回線ロスのレベルに応じて宅内装置に対する送信レベルを自動的に調整する送信レベル調整部とを有することにより、電話回線ロスのレベルに応じて宅内装置に対する送信レベルを自動的に調整するようにしたので、各宅内装置とリンクするまでにかなりの時間を要したり、最悪の場合は宅内装置とのリンクが出来なくなるなどの事態を回避することができ、不安定な回線品質を解消することができ、安定した回線品質を提供することができるという有利な効果が得られる。
【００４０】
請求項２に記載のＶＤＳＬ通信機器によれば、請求項１に記載のＶＤＳＬ通信機器において、ノイズ検知部は、電話回線ロスのレベルと共にクロストークノイズレベルやハムノイズレベルなどのノイズレベルを検知し、送信レベル調整部は、検知した電話回線ロスのレベルおよび検知したノイズレベルに応じて宅内装置に対する送信レベルを自動的に調整することにより、電話回線ロスのレベルと共にクロストークノイズレベルやハムノイズレベルなどを含む総合的なノイズレベルを検知して送信レベルを自動的に調整するようにしたので、各宅内装置とリンクするまでにかなりの時間を要したり、最悪の場合は宅内装置とのリンクが出来なくなるなどの事態を更に確実に回避することができ、不安定な回線品質を解消して、いっそう安定した回線品質を提供することができるという有利な効果が得られる。
【００４１】
請求項３に記載のＶＤＳＬ通信機器によれば、請求項２に記載のＶＤＳＬ通信機器において、宅内装置に対する送信レベルの自動調整と手動調整の切替えが可能な自動／マニュアル切替えスイッチ部を備えたことにより、自動調整の状態ではなかなかリンク出来ない場合にマニュアルに設定し、送信レベルを任意に調整できるようにすることができるので、確実に不安定な回線品質を解消して、安定した回線品質を提供することができるという有利な効果が得られる。
【００４２】
請求項４に記載のＶＤＳＬ通信機器によれば、請求項２に記載のＶＤＳＬ通信機器において、電話回線ロスのレベルを擬似的に設定することが可能な擬似回線ロス設定部を備え、送信レベル調整部は、擬似的に設定された電話回線ロスのレベルに応じて宅内装置に対する送信レベルを自動的に調整することにより、自動調整の状態ではなかなかリンク出来ない場合には、電話回線ロスのレベルを擬似的に設定して送信レベルをアップさせて通信品質（回線品質）を確実に安定させることができるという有利な効果が得られる。
【図面の簡単な説明】
【図１】本発明の実施の形態１によるＶＤＳＬ通信機器を有するＶＤＳＬ通信システムを示すブロック図
【図２】本発明の実施の形態２によるＶＤＳＬ通信機器を有するＶＤＳＬ通信システムを示すブロック図
【図３】本発明の実施の形態３によるＶＤＳＬ通信機器を有するＶＤＳＬ通信システムを示すブロック図
【図４】従来のＶＤＳＬ通信機器を有するＶＤＳＬ通信システムを示すブロック図
【符号の説明】
１  ＶＤＳＬ通信機器
２  ＶＤＳＬモデム部
３  ネットワークスイッチ部
４  ネットワーク接続部
５  リモート設定部
６  送信レベル調整部
７  ノイズ検知部
８  電源ブロック
９  機器設定用ＰＣ
１０  インターネット（Ｉｎｔｅｒｎｅｔ）
１１  ＰＳＴＮ回線
１２  宅内モデム
１３  電話
１４  ＰＣ
１５  自動／マニュアル切替えスイッチ部
１６  擬似回線ロス設定部
１７  宅内装置
２１  スプリッタ
２２  フィルタ
２３  モデムブロック
２４  ネットワークトランス
２５  Ｅｔｈｅｒブロック（イーサブロック）
２６  制御用ＣＰＵ
２７  メモリブロック
２８  Ｎポートスイッチブロック
２９  電話線
【図１】
2004179726.tif 000003
【図２】
2004179726.tif 000004
【図３】
2004179726.tif 000005
【図４】
2004179726.tif 000006